(57)【要約】【課題】肉厚の薄いカードと厚いカードの電極がハウジング内のコンタクトと正常な撓み量で接触することの可能なＩＣカード用コネクタを提供すること。【解決手段】厚さの異なる少なくとも２種類のＩＣカードを挿抜可能なハウジングと、各部品を収納した後に上に被せるカバーと、底部側の一方のカード用コンタクトと、天部側の他方のカード用コンタクトとを具備したＩＣカード用コネクタにおいて、ハウジングに移動自在にスペーサを設け、一方のＩＣカードの挿入時に、スペーサを押し込んで２個のカード用コンタクトとの間で一方のＩＣカードを挟持接触し、他方のＩＣカードの挿入時に、スペーサの上に乗り上げ、スペーサといずれか一方のコンタクトとの間で他方のＩＣカードを挟持接触せしめるようにしたものである。【選択図】図１
2008021511.tif 000002
【特許請求の範囲】
【請求項１】
薄い箱型をなし、厚さの異なる少なくとも２種類の第１及び第２のＩＣカードを挿抜可能なハウジングと、このハウジング内に各部品を収納した後に上に被せるカバーと、前記ハウジング内の底部側に設けられ、前記第１のＩＣカードの電極に接離する第１カード用コンタクトと、前記ハウジング内の天部側に設けられ、前記第２のＩＣカードの電極に接離する第２カード用コンタクトとを具備したＩＣカード用コネクタにおいて、前記ハウジングの底部側に移動自在にスペーサを設け、厚さの厚い前記第１のＩＣカードの挿入時に、前記スペーサを第１のＩＣカードの先端部で押し込んで第１カード用コンタクトと第２カード用コンタクトとの間で第１のＩＣカードを挟持接触し、厚さの薄い第２のＩＣカードの挿入時に、この第２のＩＣカードの先端部を前記スペーサの上に乗り上げ、スペーサと第２カード用コンタクトとの間で第２のＩＣカードを挟持接触せしめるようにしたことを特徴とするＩＣカード用コネクタ。
【請求項２】
スペーサは、第２のＩＣカードの幅の狭い先端部が乗り上がるための傾斜面部と、第１のＩＣカードの先端部が当接してスペーサを押し込むための当接部と、ハウジングのスペーサガイド溝に嵌合して移動する摺動突条部とを具備してなることを特徴とする請求項１記載のＩＣカード用コネクタ。
【請求項３】
薄い箱型をなし、厚さの異なる少なくとも２種類の第１及び第２のＩＣカードを挿抜可能なハウジングと、このハウジング内に各部品を収納した後に上に被せるカバーと、前記ハウジング内の底部側に設けられ、前記第１のＩＣカードの電極に接離する第１カード用コンタクトと、前記ハウジング内の天部側に設けられ、前記第２のＩＣカードの電極に接離する第２カード用コンタクトとを具備したＩＣカード用コネクタにおいて、前記ハウジングに設けたカード挿入口の両側に臨ませて、前記カバーの一部を下向きで、逆へ字形に切り起したガイド板部を設け、挿入された第１及び第２のＩＣカードをこのガイド板部によりハウジングの底部側に付勢し、前記ハウジングの略中間の底部側に移動自在にスペーサを設け、厚さの厚い前記第１のＩＣカードの挿入時に、前記スペーサを第１のＩＣカードの先端部で押し込んで第１カード用コンタクトと第２カード用コンタクトとの間で第１のＩＣカードを挟持接触し、厚さの薄い第２のＩＣカードの挿入時に、この第２のＩＣカードの先端部を前記スペーサの上に乗り上げ、スペーサと第２カード用コンタクトとの間で第２のＩＣカードを挟持接触せしめるようにしたことを特徴とするＩＣカード用コネクタ。
【請求項４】
両側のガイド板部の外側に、挿入された第１のＩＣカードと第２のＩＣカードの幅方向の位置を規制する位置修正部を一体に切り起し形成したことを特徴とする請求項３記載のＩＣカード用コネクタ。
【請求項５】
ハウジングの内部の天部側に、カバーの一部を下向きに切り起し、この切り起し片を横向きへ字形に折曲したガイド部を設け、先端部側に細幅部を有する第２のＩＣカードの正常挿入時の案内と、裏返し挿入時の誤挿入防止用として機能せしめたことを特徴とする請求項１，２，３又は４項記載のＩＣカード用コネクタ。
【請求項６】
両側のガイド板部の外側に、挿入された第２のＩＣカードの狭幅の側縁部の幅方向の位置を規制するとともに、この第２のＩＣカードの広幅の側縁部が乗り越えるように位置修正部を一体に切り起し形成し、ハウジングの内部の天部側に、前記広幅の側縁部を下向きに付勢するガイド部を一体に切り起し形成したことを特徴とする請求項５記載のＩＣカード用コネクタ。
【請求項７】
ハウジングの内部に、第１のＩＣカード又は第２のＩＣカードの挿入時にロックし、再押圧時にロックを解除するロック用スライダを具備してなることを特徴とする請求項１，２，３，４，５又は６記載のＩＣカード用コネクタ。
【発明の詳細な説明】
【技術分野】
【０００１】
本発明は、長さと幅が略同じで、厚さの異なる２種類のカードを表裏逆にして挿入して内部のコンタクトに接続するＩＣカード用コネクタであって、２種類のカードの厚さの違いによって生じるハウジング内部のクリアランスをなくして２種類のカードが確実にコンタクトに接触できるようにしたＩＣカード用コネクタに関するものである。
【背景技術】
【０００２】
１つのＩＣカード用コネクタに複数種類のＩＣカードを挿入可能にしたＩＣカード用コネクタが種々提案されており、図８に示したものもその一種類である（特許文献１）。
図８に示したものは、幅と長さが略同じ第１のＩＣカード１１と第２のＩＣカード１２の２種類と、幅が狭く長さの長いカード１種類（図示せず）と、幅と長さの長い１種類（図示せず）との４種類に対応可能なものを示している。
【０００３】
前記幅と長さが略同じ２種類の第１のＩＣカード１１と第２のＩＣカード１２の場合、第１のＩＣカード１１は、肉厚で、かつ、両側縁部に段部を有し、第２のＩＣカード１２は、肉薄である。これらの第１のＩＣカード１１と第２のＩＣカード１２は、電極の形成されている部分のカードの肉厚と、電極の形状と配置がほとんど同じであるため、第１のＩＣカード１１をハウジング１０のカード挿入口１３に挿入すると、（ａ−１）と（ａ−２）に示すように、下向きの電極がＩＣコンタクト１５に接触し、また、第２のＩＣカード１２をカード挿入口１３の内部の案内段差１４に載せながら挿入すると、（ｂ−１）と（ｂ−２）に示すように、下向きの電極がＩＣコンタクト１５に接触する。２種類のカードの判別は、図示しないスイッチにより行われる。
【特許文献１】特開２００３−１００３６９号公報
【発明の開示】
【発明が解決しようとする課題】
【０００４】
前記第１のＩＣカード１１と第２のＩＣカード１２は、電極の形成されている部分のカードの肉厚と、電極の形状と配置がほとんど同じであるため、ＩＣコンタクト１５を兼用することができる。しかし、共通のカード挿入口を利用し、２種類のカードの電極の形状と配置が異なる場合には、ＩＣコンタクト１５の配置も異なるため、表裏逆にして挿入しなければならない。ところが、肉厚の薄いカードを挿入したときと、肉厚の厚いカードを挿入したときでは、ハウジングの内部でのクリアランスが異なる。
本発明の解決しようとする問題点は、肉厚の薄いカードを挿入したときにコンタクトと電極が正常な撓み量で接触するように構成すると、肉厚の厚いカードを挿入したときには、カードの挿入圧が大きすぎ、コンタクトと電極が異常に大きな撓み量で接触してコンタクトが変形したり破壊したりする恐れがある。逆に、肉厚の厚いカードを挿入したときにコンタクトと電極が正常な撓み量で接触するように構成すると、肉厚の薄いカードを挿入したときには、カードの挿入圧が小さすぎ、コンタクトと電極が接触不良を起こす恐れがある、ということである。
【０００５】
本発明は、肉厚の薄いカードと肉厚の厚いカードを表裏逆にして挿入する場合において、いずれのカードであってもコンタクトと電極が正常な撓み量で接触することの可能なＩＣカード用コネクタを提供することを目的とする。
【課題を解決するための手段】
【０００６】
本発明は、薄い箱型をなし、厚さの異なる少なくとも２種類の第１及び第２のＩＣカードを挿抜可能なハウジングと、このハウジング内に各部品を収納した後に上に被せるカバーと、前記ハウジング内の底部側に設けられ、前記第１のＩＣカードの電極に接離する第１カード用コンタクトと、前記ハウジング内の天部側に設けられ、前記第２のＩＣカードの電極に接離する第２カード用コンタクトとを具備したＩＣカード用コネクタにおいて、前記ハウジングの底部側に移動自在にスペーサを設け、厚さの厚い前記第１のＩＣカードの挿入時に、前記スペーサを第１のＩＣカードの先端部で押し込んで第１カード用コンタクトと第２カード用コンタクトとの間で第１のＩＣカードを挟持接触し、厚さの薄い第２のＩＣカードの挿入時に、この第２のＩＣカードの先端部を前記スペーサの上に乗り上げ、スペーサと第２カード用コンタクトとの間で第２のＩＣカードを挟持接触せしめるようにしたことを特徴とする。
【０００７】
スペーサは、第２のＩＣカードの幅の狭い先端部が乗り上がるための傾斜面部と、第１のＩＣカードの先端部が当接してスペーサを押し込むための当接部と、ハウジングのスペーサガイド溝に嵌合して移動する摺動突条部とを具備してなることを特徴とする。
【発明の効果】
【０００８】
請求項１記載の発明によれば、ＩＣカード用コネクタにおいて、ハウジングの底部側に移動自在にスペーサを設け、厚さの厚い前記第１のＩＣカードの挿入時に、スペーサを第１のＩＣカードの先端部で押し込んで第１カード用コンタクトと第２カード用コンタクトとの間で第１のＩＣカードを挟持接触し、厚さの薄い第２のＩＣカードの挿入時に、この第２のＩＣカードの先端部を前記スペーサの上に乗り上げ、スペーサと第２カード用コンタクトとの間で第２のＩＣカードを挟持接触せしめるようにしたので、厚さの厚い第１のＩＣカードと厚さの薄い第２のＩＣカードの電極がともに対応するコンタクトに正常な撓み量で接触することができる。
【０００９】
請求項２記載の発明によれば、スペーサは、厚さの薄い第２のＩＣカードの幅の狭い先端部が乗り上がるための傾斜面部と、厚さの厚い第１のＩＣカードの先端部が当接してスペーサを押し込むための当接部と、ハウジングのスペーサガイド溝に嵌合して移動する摺動突条部とを具備してなるので、厚さの薄い第２のＩＣカードを挿入したときは、スペーサを移動させることなくスペーサの上にスムーズに第２のＩＣカードを乗り上げ、また、厚さの厚い第１のＩＣカードを挿入したときは、スペーサを確実に押し込むことができる。
【００１０】
請求項３記載の発明によれば、ＩＣカード用コネクタにおいて、ハウジングに設けたカード挿入口の両側に臨ませて、カバーの一部を下向きで、逆へ字形に切り起したガイド板部を設け、挿入された第１及び第２のＩＣカードをこのガイド板部によりハウジングの底部側に付勢し、ハウジングの略中間の底部側に移動自在にスペーサを設け、厚さの厚い第１のＩＣカードの挿入時に、スペーサを第１のＩＣカードの先端部で押し込んで第１カード用コンタクトと第２カード用コンタクトとの間で第１のＩＣカードを挟持接触し、厚さの薄い第２のＩＣカードの挿入時に、この第２のＩＣカードの先端部をスペーサの上に乗り上げ、スペーサと第２カード用コンタクトとの間で第２のＩＣカードを挟持接触せしめるようにしたので、厚さの薄い第２のＩＣカードの挿入時にハウジングの内部だけでなく、ハウジングの入り口のカード挿入口付近でも適正なクリアランスを得ることができる。
【００１１】
請求項４記載の発明によれば、両側のガイド板部の外側に、挿入された第１のＩＣカードと第２のＩＣカードの幅方向の位置を規制する位置修正部を一体に切り起し形成したので、コンタクトと電極の幅の小さなものでも確実に接触させることができる。
【００１２】
請求項５記載の発明によれば、ハウジングの内部の天部側に、カバーの一部を下向きに切り起し、この切り起し片を横向きへ字形に折曲したガイド部を設け、先端部側に細幅部を有する第２のＩＣカードの正常挿入時の案内と、裏返し挿入時の誤挿入防止用として機能せしめたので、厚さが薄く、先端部に細幅部を有する第２のＩＣカードであっても、裏返しの挿入が防止され、ハウジング内部の破損が防止される。
【００１３】
請求項６記載の発明によれば、両側のガイド板部の外側に、挿入された第２のＩＣカードの狭幅の側縁部の幅方向の位置を規制するとともに、この第２のＩＣカードの広幅の側縁部が乗り越えるように位置修正部を一体に切り起し形成し、ハウジングの内部の天部側に、広幅の側縁部を下向きに付勢するガイド部を一体に切り起し形成したので、厚さが薄く、先端部に細幅部を有する第２のＩＣカードの幅方向のずれがなく、かつ、厚さの厚い第１のＩＣをカードのしっかりと保持できる。
【００１４】
請求項７記載の発明によれば、ハウジングの内部に、第１のＩＣカード又は第２のＩＣカードの挿入時にロックし、再押圧時にロックを解除するロック用スライダを具備したので、第１又は第２のＩＣカードの挿入固定と、抜去が確実に行える。
【発明を実施するための最良の形態】
【００１５】
本発明は、薄い箱型をなし、厚さの異なる少なくとも２種類の第１及び第２のＩＣカードを挿抜可能なハウジングと、このハウジング内に各部品を収納した後に上に被せるカバーと、前記ハウジング内の底部側に設けられ、前記第１のＩＣカードの電極に接離する第１カード用コンタクトと、前記ハウジング内の天部側に設けられ、前記第２のＩＣカードの電極に接離する第２カード用コンタクトとを具備したＩＣカード用コネクタに適用される。
このようなＩＣカード用コネクタにおいて、前記ハウジングの底部側に移動自在にスペーサを設け、厚さの厚い前記第１のＩＣカードの挿入時に、前記スペーサを第１のＩＣカードの先端部で押し込んで第１カード用コンタクトと第２カード用コンタクトとの間で第１のＩＣカードを挟持接触し、厚さの薄い第２のＩＣカードの挿入時に、この第２のＩＣカードの先端部を前記スペーサの上に乗り上げ、スペーサと第２カード用コンタクトとの間で第２のＩＣカードを挟持接触せしめるようにしたものである。
【００１６】
前記スペーサは、第２のＩＣカードの幅の狭い先端部が乗り上がるための傾斜面部と、第１のＩＣカードの先端部が当接してスペーサを押し込むための当接部と、ハウジングのスペーサガイド溝に嵌合して移動する摺動突条部とを具備してなる。
【００１７】
前記ハウジングに設けたカード挿入口の両側に臨ませて、前記カバーの一部を下向きで、逆へ字形に切り起したガイド板部を設け、挿入された第１及び第２のＩＣカードをこのガイド板部によりハウジングの底部側に付勢し、前記ハウジングの略中間の底部側に移動自在にスペーサを設け、厚さの厚い前記第１のＩＣカードの挿入時に、前記スペーサを第１のＩＣカードの先端部で押し込んで第１カード用コンタクトと第２カード用コンタクトとの間で第１のＩＣカードを挟持接触し、厚さの薄い第２のＩＣカードの挿入時に、この第２のＩＣカードの先端部を前記スペーサの上に乗り上げ、スペーサと第２カード用コンタクトとの間で第２のＩＣカードを挟持接触せしめるようにしてなる。
【００１８】
両側のガイド板部の外側に、挿入された第１のＩＣカードと第２のＩＣカードの幅方向の位置を規制する位置修正部を一体に切り起し形成することができる。
【００１９】
ハウジングの内部の天部側に、カバーの一部を下向きに切り起し、この切り起し片を横向きへ字形に折曲したガイド部を設け、先端部側に細幅部を有する第２のＩＣカードの正常挿入時の案内と、裏返し挿入時の誤挿入防止用として機能せしめる。
【００２０】
両側のガイド板部の外側に、挿入された第２のＩＣカードの狭幅の側縁部の幅方向の位置を規制するとともに、この第２のＩＣカードの広幅の側縁部が乗り越えるように位置修正部を一体に切り起し形成し、ハウジングの内部の天部側に、前記広幅の側縁部を下向きに付勢するガイド部を一体に切り起し形成する。
【００２１】
ハウジングの内部に、第１のＩＣカード又は第２のＩＣカードの挿入時にロックし、再押圧時にロックを解除するロック用スライダを具備してなるものとすることもできる。
【実施例１】
【００２２】
本発明のＩＣカード用コネクタに挿抜される２種類のＩＣカードを図４に基づき説明する。
図４（ａ−１）（ａ−２）に示される第２のＩＣカード１２と、図４（ｂ−１）（ｂ−２）（ｂ−３）（ｂ−４）に示される第１のＩＣカード１１とは、長さは同じで、幅は第１のＩＣカード１１の狭幅の側縁部１８と第２のＩＣカード１２の外側縁とが略同じで、厚さは第１のＩＣカード１１が厚く、第２のＩＣカード１２が薄く、また、第１のＩＣカード１１の電極１６と第２のＩＣカード１２の電極２０は数、形状に違いがある。
さらに詳しくは、前記第１のＩＣカード１１は、長方形をなし、両側に広幅の側縁部１７と狭幅の側縁部１８が段差を持って形成され、前記広幅の側縁部１７の面側に電極１６が形成され、一方の側縁には２個の切り欠き２４が形成され、他方の側縁には１個の切り欠き２４が形成され、先端部１９の両面はテーパーを有してやや尖っている。
前記第２のＩＣカード１２は、長方形をなし、一方の面に電極２０が形成され、一方の側縁の先端部２２側から途中まで細幅部２１となっており、かつ、１個の切り欠き２４が形成され、先端部２２の片面にテーパーを有してやや尖っている。
【００２３】
具体的な寸法は、それぞれ凡そ次の通りである。
前記第１のＩＣカード１１は、長さが１５．０ｍｍ、幅が広幅の側縁部１７で１２．５ｍｍ、狭幅の側縁部１８で１１．０ｍｍ、厚さが１．２ｍｍである。また、前記第２のＩＣカード１２は、長さが１５．０ｍｍ、幅が１１．０ｍｍ、厚さが０．７ｍｍである。これらの数値は、一例であってこれに限定されるものではない。
【００２４】
本発明のＩＣカード用コネクタは、図２に示すハウジング２５と、このハウジング２５に被せるカバー３５とを主たる構成部品とし、その他に、図３（ａ）に示すロック用スライダ３０，ロックピン３１、圧縮ばね３２、図３（ｂ）に示すスペーサ２８，スペーサ用ばね２９、図３（ｃ）に示す開閉端子３３，３４、さらに図５に示す第１カード用コンタクト２６，第２カード用コンタクト２７とで構成されている。
【００２５】
前記ハウジング２５は、長方形で薄い箱型をなし、具体的には、幅１６．８ｍｍ×長さ１７．０ｍｍ×高さ２．３ｍｍ程度である。このハウジング２５の底板部３８、天板部４２、左側板部４４，右側板部４７の間には前面に開口し、前記第１のＩＣカード１１と第２のＩＣカード１２とが選択的に差し込まれるカード挿入口３６が形成されている。このカード挿入口３６の内側に、前記第１のＩＣカード１１の狭幅の側縁部１８が嵌合する誤挿入防止段部３７が設けられている。前記底板部３８の前面側から中間位置までに所定間隔でコンタクト差し込み溝３９が形成され、それぞれに前記第１のＩＣカード１１の電極１６に接触する第１カード用コンタクト２６が差し込み固定されている。前記天板部４２の両側部には、後述するガイド板部５７が突出するための切り欠き部４３が形成されている。また、底板部３８の後方部には、スペーサ２８の摺動突条部７７が摺動する３本のスペーサガイド溝５１が形成されている。前記ハウジング２５の背板部４０には、後面側から貫通して所定間隔でコンタクト差し込み溝４１が形成され、それぞれに前記第２のＩＣカード１２の電極２０に接触する第２カード用コンタクト２７が差し込み固定されている。
【００２６】
図２において、前記左側板部４４の端子挿入溝４５には、図３（ｃ）に示す開閉端子３３の係止片部８１が下側から差し込み固定され、また、端子挿入溝４６には、開閉端子３４の係止片部８４が上から差し込み固定される。また、左側板部４４の側面と、後述する右側板部４７の側面にそれぞれ前記カバー３５を係止するための複数個の係止突部５３が形成されている。
前記ハウジング２５の右側板部４７のスライダ嵌合溝４８には、図３（ａ）に示す前記ロック用スライダ３０が摺動自在に嵌合されるとともに、圧縮ばね３２が両端のばね嵌合突部７４、７４間に嵌め込まれてロック用スライダ３０を常時付勢している。前記ロック用スライダ３０は、ハートカム６９と係止突片部７０からなり、ハートカム６９には、公知のハート形の摺動溝６５、ピン係止凹部６６，スタート点６７が設けられ、ロックピン３１の一端部が右側板部４７のロックピン挿入孔４９に差し込まれ、他端部が摺動溝６５に摺動自在に差し込まれている。
前記係止突片部７０には、前記天板部４２のスライダ係合突部５０と係合する係合凹部６８と、この係合凹部６８に隣接して上部に第２のＩＣカード１２の係止部７１、下部に第１のＩＣカード１１の係止部７２が形成され、さらに側方にコンタクト受け部７３が形成されている。
【００２７】
前記スペーサ２８は、図３（ｂ）に示すように、細長角棒状の上面にカード挿入側から傾斜面部７５が形成され、一端部には、垂直な当接部７６が形成され、下面には、前記スペーサガイド溝５１を摺動する摺動突条部７７が設けられ、さらに、カード挿入面の反対側にはばね係止溝７８が形成されている。このばね係止溝７８には、前記スペーサ用ばね２９の両端部７９が移動自在に嵌合し、また、スペーサ用ばね２９の中央部８０は、前記背板部４０のばね係合孔５２に嵌め込まれている。
【００２８】
前記カバー３５は、ハウジング２５内に各部品を収納した後に被せるもので、弾性を有する薄い金属板を下向きコ字形に折曲し、カード挿入側の両側部には、弾性を有するように切り溝６４で切り起こされたガイド板部５７がヘ字形に折曲されている。このガイド板部５７には、一体に切り起こされてＶ字形に折曲された位置修正部５８が設けられている。一方の左側板部５５には、前記開閉端子３４の可動片８５が突出するための逃げ孔６１が設けられ、この逃げ孔６１のやや内側に第１のＩＣカード１１の広幅の側縁部１７が乗り上がるガイド部５９が設けられ、このガイド部５９のやや内側に第２のＩＣカード１２の細幅部２１をガイドし、かつ、第２のＩＣカード１２を裏返しに挿入したときのストッパとなるガイド部６０が切り起し形成されている。他方の右側板部５６のやや内側には、前記ロックピン３１の浮き上がりを防止する押圧ばね部６２が切り起して形成されている。前記天板部５４の略中央には、第２カード用コンタクト２７の突出のための逃げ孔６３が形成されている。
【００２９】
以上のように構成されたＩＣカード用コネクタの作用を説明する。
（１−１）第２のＩＣカード１２の正常（電極２０が上向き）状態での挿入
第２のＩＣカード１２を正常（電極２０が上向きで、細幅部２１が挿入方向左側）状態でＩＣカード用コネクタのカード挿入口３６へ挿入すると、第２のＩＣカード１２は、図５（ａ−１）及び図７（ａ）のように、ガイド板部５７に案内されつつ両側の位置修正部５８の間を通り、細幅部２１側の先端部２２がガイド部６０に案内されつつ挿入され、先端部２２が第１カード用コンタクト２６と第２カード用コンタクト２７の間に位置する。このとき、第２のＩＣカード１２は、薄いのでＩＣカード用コネクタの内部で必要以上のクリアランスが生じる。
【００３０】
図１に示すように、先端部２２の右端が係止突片部７０の係止部７１に係合した状態でさらに挿入すると、係止突片部７０と一体のハートカム６９が圧縮ばね３２に抗して移動し、ロックピン３１の先端がスタート点６７から摺動溝６５内を図の左回りに摺動する。第２のＩＣカード１２は、薄く、かつ、細幅部２１を有するので、先端部２２の左端はスペーサ２８の当接部７６に当接することなく、図５（ａ−２）のように、先端部２２が傾斜面部７５を擦りながら乗り上がる。スペーサ２８は、スペーサ用ばね２９によって押圧されているので、もとの位置から移動しない。第２のＩＣカード１２の先端部２２がスペーサ２８の上に乗り上がることで、電極２０は第２カード用コンタクト２７に適正な接触圧で接続される。第２のＩＣカード１２が挿入できる位置まで達すると、ロックピン３１の一端部が摺動溝６５の端部に達するので、押し込み力を抜くと、圧縮ばね３２によりロック用スライダ３０が戻されてロックピン３１の一端部がピン係止凹部６６に係止して第２のＩＣカード１２の挿入状態が保持される。
この挿入状態では、カード挿入孔３６の付近で第２のＩＣカード１２の基端部がガイド板部５７で下方に適正圧力で付勢されている。
このとき、図６（ａ）に示すように、第２のＩＣカード１２の細幅部２１を過ぎた外側縁で開閉端子３３の接触可動片８３が押し出されて開閉端子３４の接触部８６に接触して第２のＩＣカード１２を挿入した信号が出力される。
【００３１】
第２のＩＣカード１２を抜き取るときは、第２のＩＣカード１２を再度押し込むと、ロックピン３１の一端部がピン係止凹部６６から外れ、押し込み力を抜くと、他方の摺動溝６５を通り元のスタート点６７に戻って、図５（ａ−１）のように電極２０と第２カード用コンタクト２７の接続から外れる。
【００３２】
（１−２）第２のＩＣカード１２の異常（電極２０が裏返し）状態での挿入
第２のＩＣカード１２を異常（電極２０が下向きで、細幅部２１が挿入方向右側）状態でＩＣカード用コネクタのカード挿入口３６へ挿入すると、第２のＩＣカード１２は、最初、ガイド板部５７に案内されつつ両側の位置修正部５８の間を通り抜けるが、図７（ａ）の異常時のように、細幅部２１側が位置修正部５８を通り、外側縁が位置修正部５８に達し、細幅部２１と反対側の先端部２２がガイド部６０に当接して第２のＩＣカード１２はそれ以上挿入することができない。
【００３３】
（２−１）第１のＩＣカード１１の正常（電極１６が下向き）状態での挿入
第１のＩＣカード１１を正常（電極１６が下向きで、狭幅の側縁部１８が上向き）状態でＩＣカード用コネクタのカード挿入口３６へ挿入すると、第１のＩＣカード１１は、図５（ｂ−１）及び図７（ｂ）のように、誤挿入防止段部３７に嵌合し、狭幅の側縁部１８がガイド板部５７に案内されつつ両側の位置修正部５８の間を通り、また、広幅の側縁部１７が位置修正部５８の下を通り、図１のように、広幅の側縁部１７の先端部２２の右端が係止突片部７０の係止部７２に係合する。このとき、第１のＩＣカード１１は、厚いので内部は適正なクリアランスで移動する。
【００３４】
係合した状態で第１のＩＣカード１１をさらに挿入すると、係止突片部７０と一体のハートカム６９が圧縮ばね３２に抗して移動し、ロックピン３１の先端がスタート点６７から摺動溝６５内を図の左回りに摺動する。第１のＩＣカード１１は、厚く、かつ、第２のＩＣカード１２と異なり細幅部２１を有しないので、先端部１９の左端がスペーサ２８の当接部７６に当接しつつ、図５（ｂ−２）のように、先端部１９でスペーサ２８を押しながらスペーサ用ばね２９に抗してスペーサ２８を押し込む。
この挿入状態では、カード挿入孔３６の付近で第１のＩＣカード１１の基端部がガイド板部５７で下方に適正圧力で付勢されている。
このとき、図６（ｂ）に示すように、第１のＩＣカード１１の広幅の側縁部１７が開閉端子３３の接触可動片８２を広げつつ第１のＩＣカード１１の正確な位置決めをしながらさらに挿入されると、広幅の側縁部１７が開閉端子３４の接触部８７に係合して可動片８５を外側に逃げさせる。この状態で第１のＩＣカード１１の狭幅の側縁部１８が開閉端子３３の接触可動片８３に接して接触可動片８３が外側にやや移動するが、接触可動片８３が押し出される前に接触部８６がそれ以上に逃げており、接触可動片８３が開閉端子３４の接触部８６に接触することはなく、第１のＩＣカード１１を挿入しても信号が出力されない。
第１のＩＣカード１１をスペーサ２８とともに移動することで、電極１６は第１カード用コンタクト２６に適正な接触圧で接続される。第１のＩＣカード１１が挿入できる位置まで達すると、ロックピン３１の一端部が摺動溝６５の端部に達するので、押し込み力を抜くと、圧縮ばね３２によりロック用スライダ３０が戻されてロックピン３１の一端部がピン係止凹部６６に係止して第１のＩＣカード１１の挿入状態が保持される。
【００３５】
第１のＩＣカード１１を抜き取るときは、第１のＩＣカード１１を再度押し込むと、ロックピン３１の一端部がピン係止凹部６６から外れ、押し込み力を抜くと、圧縮ばね３２により他方の摺動溝６５を通りもとのスタート点６７に戻って、図５（ｂ−１）のように電極１６と第１カード用コンタクト２６の接続から外れる。
同時に、スペーサ２８がスペーサ用ばね２９によりもとの位置に戻される。
【００３６】
（２−２）第１のＩＣカード１１の異常（電極１６が裏返し）状態での挿入
第１のＩＣカード１１を異常（電極１６が上向き）状態でＩＣカード用コネクタのカード挿入口３６へ挿入しようとすると、第１のＩＣカード１１の広幅の側縁部１７と狭幅の側縁部１８が逆のため、誤挿入防止段部３７のあるカード挿入口３６へ挿入することはできない。
【図面の簡単な説明】
【００３７】
【図１】本発明によるＩＣカード用コネクタの一実施例を示すもので、カバー３５を外した平面図である。
【図２】図１におけるハウジング２５とカバー３５の分解斜視図で、これらのうち、カバー３５は裏返した状態を示すものある。
【図３】（ａ）は、ロック用スライダ３０，ロックピン３１、圧縮ばね３２の分解斜視図、（ｂ）は、スペーサ２８とスペーサ用ばね２９の分解斜視図、（ｃ）は、開閉端子３３と開閉端子３４の分解斜視図である。
【図４】（ａ−１）は、第２のＩＣカード１２の平面図、（ａ−２）は、同じく正面図、（ｂ−１）は、第１のＩＣカード１１の平面図、（ｂ−２）は、同じく左側面図、（ｂ−３）は、同じく正面図、（ｂ−４）は、同じく（ｂ−４）−（ｂ−４）線断面図である。
【図５】（ａ−１）は、第２のＩＣカード１２の挿入直後の断面図、（ａ−２）は、第２のＩＣカード１２の挿入完了時の断面図、（ｂ−１）は、第１のＩＣカード１１の挿入直後の断面図、（ｂ−２）は、第１のＩＣカード１１の挿入完了時の断面図である。
【図６】（ａ）は、第２のＩＣカード１２の挿入時に開閉端子３３と開閉端子３４が接続している状態を示す説明図、（ｂ）は、第１のＩＣカード１１の挿入時に開閉端子３３と開閉端子３４が接続していない状態を示す説明図である。
【図７】（ａ）は、第２のＩＣカード１２の正常時と裏返し時の挿入時状態を示す底部側から見た説明図、（ｂ）は、第１のＩＣカード１１の正常時の挿入時状態を示す説明図である。
【図８】従来のＩＣカード用コネクタを示すもので、（ａ−１）は、厚い第１のＩＣカード１１の挿入時の断面図、（ａ−２）は、厚い第１のＩＣカード１１の挿入時の正面図、（ｂ−１）は、薄い第２のＩＣカード１２の挿入時の断面図、（ｂ−２）は、薄い第２のＩＣカード１２の挿入時の正面図である。
【符号の説明】
【００３８】
１０…ハウジング、１１…第１のＩＣカード、１２…第２のＩＣカード、１３…カード挿入口、１４…案内段差、１５…ＩＣコンタクト、１６…電極、１７…広幅の側縁部、１８…狭幅の側縁部、１９…先端部、２０…電極、２１…細幅部、２２…先端部、２３…切り欠き、２４…切り欠き、２５…ハウジング、２６…第１カード用コンタクト、２７…第２カード用コンタクト、２８…スペーサ、２９…スペーサ用ばね、３０…ロック用スライダ、３１…ロックピン、３２…圧縮ばね、３３…開閉端子、３４…開閉端子、３５…カバー、３６…カード挿入口、３７…誤挿入防止段部、３８…底板部、３９…コンタクト差し込み溝、４０…背板部、４１…コンタクト差し込み溝、４２…天板部、４３…切り欠き部、４４…左側板部、４５…端子挿入溝、４６…端子挿入溝、４７…右側板部、４８…スライダ嵌合溝、４９…ロックピン挿入孔、５０…スライダ係合突部、５１…スペーサガイド溝、５２…ばね係合孔、５３…係止突部、５４…天板部、５５…左側板部、５６…右側板部、５７…ガイド板部、５８…位置修正部、５９…ガイド部、６０…ガイド部、６１…逃げ孔、６２…押圧ばね部、６３…逃げ孔、６４…切り溝、６５…摺動溝、６６…ピン係止凹部、６７…スタート点、６８…係合凹部、６９…ハートカム、７０…係止突片部、７１…係止部、７２…係止部、７３…コンタクト受け部、７４…ばね嵌合突部、７５…傾斜面部、７６…当接部、７７…摺動突条部、７８…ばね係止溝、７９…両端部、８０…中央部、８１…係止片部、８２…接触可動片、８３…接触可動片、８４…係止片部、８５…可動片、８６…接触部、８７…接触部。
【図１】
2008021511.tif 000003
【図２】
2008021511.tif 000004
【図３】
2008021511.tif 000005
【図４】
2008021511.tif 000006
【図５】
2008021511.tif 000007
【図６】
2008021511.tif 000008
【図７】
2008021511.tif 000009
【図８】
2008021511.tif 000010